(57)【特許請求の範囲】
【請求項１】
伸縮性を有する表地と、前記表地の内部に設けられ頭皮に対して柔らかで、かつ伸縮性を有する生地からなる裏地と、前記表地と前記裏地とをつなげる縁取部と、前記縁取部の前記表地と前記裏地との間であって着用したときに後頭部になる位置と側頭部になる位置に設けた第１の係着体とを有する帽子部と、前記縁取部の隣接する前記第１の係着体の間に設けられて、前記縁取部と前記裏地とを固定する固定部材とを備え、
着用したときに後頭部となる位置と側頭部になる位置に設けたつけ毛取付部材とがゴム弾性部材で結合されて一体化され、前記つけ毛取付部材に第２の係着体とつけ毛が設けられたつけ毛部とからなり、
前記つけ毛部の前記第２の係着体と前記帽子部の前記第１の係着体により係着されており、着用時に前記ゴム弾性部材が前記固定部材の上方に配置されることを特徴とするつけ毛付き帽子。
【発明の詳細な説明】
【技術分野】
【０００１】
本発明は、病気やその治療等により頭髪が脱毛した人に対して好適に使用できるつけ毛付き帽子に関する。
【背景技術】
【０００２】
がんは男性、女性を問わず罹患する割合の多い病気の一つであり、がんになっている領域部分を直接切除する治療法だけでなく、抗がん剤治療や放射線治療も多く行われている。このような治療を受けると、頭髪の脱毛が生じてしまう。女性の場合には、脱毛することによって精神的に大きな不安を抱えることがあり、人目を気にして外出しなくなり自宅に閉じこもりがちになりやすい。また、脳出血や脳梗塞などを発症すると脳手術による治療がなされることも多いが、このような場合にも手術のために頭髪を剃り落としてしまう必要があり、一時的に無毛状態になる。このような人たちはかつらを着用することが多い。しかし、かつらを着用しても不自然に感じることが多いだけでなく、脱毛した人の頭皮は敏感になっており、かつらの着用はムレやかぶれ等の皮膚炎の原因になりやすい。さらに、費用的にも大きな負担となる。帽子を着用すればこのような問題点は解消できるが、帽子を着用しただけでは、特に女性の場合には帽子から髪が見えないため不自然に感じられる。そこで帽子の周囲につけ毛をつけて、帽子を着用したときにあたかも髪があるようにみせかける構造のつけ毛付き帽子が開示されている。
たとえば、裏面に係着体を設けた帽子と、この係着体に係着するような係着体を有し、つけ毛をつけたつけ毛バンドとからなるつけ毛バンド付き帽子が開示されている（特許文献１参照）。また、帽子やバンダナの内側に装着する部分かつらで、ヘアバンド等の周囲の一部につけ毛をつけたものも開示されている（特許文献２参照）。さらに、布材を用いた頭部を被覆する帽子につけ毛をつけた構成も開示されている（特許文献３参照）。
【先行技術文献】
【特許文献】
【０００３】
【特許文献１】特開２００３−１６６１１号公報
【特許文献２】実用新案登録第３１３０３６３号
【特許文献３】実用新案登録第３１５２３６４号
【発明の概要】
【発明が解決しようとする課題】
【０００４】
上記献特許文献１や特許文献２に開示されている構造は、伸縮性のある素材を使ったヘアーバンドにつけ毛をつけたものである。脱毛した人にとってはヘアーバンドやゴムバンドの圧迫感が健常者と比較して比べられないほどきつく感じられるために、着用することによるストレスが大きいという課題がある。また、特許文献３に開示されているものは、スカーフ状の帽子であり、就寝中にも着用しておけるような装着安定性を確保することを目的としており、つけ毛を固定する具体的な方法については何ら記載されていないが、係着体を用いる場合、係着体が頭皮に直接接触すると皮膚に障害を生じる可能性があるという課題を有する。一方、単に帽子と頭皮との間につけ毛を挿入するだけの場合には、活動しているうちにつけ毛が動いて不自然に見えるようになってしまうという課題がある。本発明は、病気や病気治療により脱毛した人が着用しても頭皮を刺激せず、しかも人前に出ても自然に見え、ストレスをできるだけ低減することを可能とするつけ毛付き帽子を提供することを目的とする。
【課題を解決するための手段】
【０００５】
上記課題を解決するために本発明のつけ毛付き帽子は、伸縮性を有する表地と、この表地の内部に設けられ頭皮に対して柔らかで、かつ伸縮性を有する生地からなる裏地と、表地と裏地とをつなげる縁取部と、縁取部の表地と裏地との間であって着用したときに後頭部になる位置と両耳部分に当たる位置に設けた第１の係着体とを有する帽子部と、着用したときに後頭部となる位置と両耳部分に当たる位置に設けたつけ毛取付部材とがゴム弾性部材で結合されて一体化され、これらのつけ毛取付部材に第２の係着体とつけ毛が設けられたつけ毛部とからなり、つけ毛部の第２の係着体と帽子部の第１の係着体により係着されてなることを特徴とする。
このような構造とすることにより、帽子部は伸縮性を有するために脱毛して敏感になっている頭皮に対しても刺激を与えることがない。また、つけ毛部はつけ毛が植毛されたつけ毛取付部材が後頭部と両耳部分に分割され、それらをゴム弾性部材で結合しているので頭をきつく縛り付けることがなく長時間の着用によってもストレスを感じる割合を大きく減らすことができる。  
【発明の効果】
【０００６】
本発明のつけ毛付き帽子は、帽子部が伸縮性を有する表地と柔らかで伸縮性を有する素材からできているので病気などで脱毛した人が長時間着用しても頭皮に影響を与えることが少なく、ストレスも与えにくい。つけ毛部は、後部分と両耳部分とに分けてつけ毛取付部材が設けられ、これらをゴム弾性部材で一体化しているので、つけ毛部を取り付けたつけ毛付き帽子を着用した場合にも頭部に対する圧迫感を減ずることができる。また、つけ毛取付部材は、帽子部の裏地で隠され頭皮とは直接接触しないため、素材の選択の自由度を高めることができ、着用者には違和感なく、他人からみても自然な髪の状態に感じられるという効果を有する。
【図面の簡単な説明】
【０００７】
【図１】本発明の実施例に係るつけ毛付き帽子の外観斜視図である。
【図２】同実施例に係るつけ毛付き帽子の帽子部（図２（ａ））とつけ毛部（図２（ｂ））とを分離して示す斜視図であり、裏地の一部を折り曲げて縁取部に設けた第１の係着体が見えるようにしている。
【図３】同実施例にかかるつけ毛付き帽子のつけ毛部の詳細図であり、（ａ）は裏側部、（ｂ）は表側部の図である。
【図４】同実施例に係るつけ毛付き帽子の着用状態を示す図で、（ａ）は帽子部のみを着用した状態、（ｂ）はつけ毛付き帽子を着用した状態である。
【図５】本発明の実施例の第１の変形例のつけ毛付き帽子を着用した状態を示す図である。
【図６】本発明の実施例の第２の変形例のつけ毛付き帽子を着用した状態を示す図である。
【発明を実施するための形態】
【０００８】
本発明のつけ毛付き帽子は、伸縮性を有する表地と、この表地の内部に設けられ頭皮に対して柔らかで、かつ伸縮性を有する生地からなる裏地と、表地と裏地とをつなげる縁取部と、縁取部の表地と裏地との間であって着用したときに後頭部になる位置と両耳部分に当たる位置に設けた第１の係着体とを有する帽子部と、着用したときに後頭部となる位置と両耳部分に当たる位置に設けたつけ毛取付部材とがゴム弾性部材で結合されて一体化され、これらのつけ毛取付部材に第２の係着体とつけ毛が設けられたつけ毛部とからなり、つけ毛部の第２の係着体と帽子部の第１の係着体により係着されてなる。
【０００９】
なお、本発明のつけ毛付き帽子はフリーサイズに適用できるように表地も伸縮性のある生地で製作しているが、このような生地は綿、麻、羊毛などの天然繊維やアクリル繊維などの合成繊維を用いて織物にするときに伸縮性を有するような織り方をすれば得られる。この表地は、頭皮に直接触れることがないのでデザイン性を重視した様々な素材や形状としてもよい。例えば、素材としては、夏は麻や綿糸、冬はウールなどを使用することが可能である。また、子供にはカラフルなデザインの素材に加えてキャラクターなどをさらにデザインして設けてもよい。
つけ毛付き帽子の裏地は頭皮に直接触れるので、オーガニックコットンなど肌あたりを重視する素材で製作することが好ましい。このように本発明のつけ毛付き帽子では、表地と裏地とを分け、縁取部において裏地の縫い代を内側になるようにしているので、頭皮に裏地の縫い代が直接接触しないようにすることもできる。また、帽子部の縁取部には、つけ毛取付部材に取り付けられた第２の係着体と係着する第１の係着体が設けられており、これらによりつけ毛部は帽子部に固定されるが、これらの装着部分は頭皮に直接接触しないように、裏地に折り返しを付けることによって回避することもできる。なお、縁取部は表地と裏地とをつなげる役割をするのみでなく、装着部分が表から見えないように隠す作用や縁取部を帽子部に加えることによってアクセントになりデザイン性を改善する作用も果たす。
【実施例】
【００１０】
図１は、本発明の実施例に係るつけ毛付き帽子２０の外観斜視図である。図２は、同実施例に係るつけ毛付き帽子２０の帽子部１（図２（ａ））とつけ毛部１０（図２（ｂ））とを分離して示す斜視図であり、裏地３の一部を折り曲げて縁取部４に設けた第１の係着体５ａ、５ｂが見えるようにしている。また、図３は同実施例にかかるつけ毛付き帽子２０のつけ毛部１０の詳細図であり、（ａ）は裏側部、（ｂ）は表側部の図である。さらに、図４は本実施例に係るつけ毛付き帽子２０の着用状態を示す図で、（ａ）は帽子部１のみを着用した状態、（ｂ）はつけ毛付き帽子２０を着用した状態である。
以下、図１から図４を用いて、本実施例のつけ毛付き帽子２０の構造について詳細に説明する。図１は、帽子部１とつけ毛部１０を一体化したつけ毛付き帽子２０の形状を示す外観斜視図である。その帽子部１の詳細構造を図２（ａ）に示すが、図２（ａ）からわかるように、帽子部１は表地２と裏地３ともに伸縮性のある生地で作製している。本実施例では、頭全体を包み込めるような形状に作製しているので、ヘアーバンドやゴムバンドのような一部分で締め付けることがない。このため着用時にも圧迫感がなく長時間使用することができる。つけ毛部１０を帽子部１に係着して固定するために、帽子部１の裏地３をポケット状に折り返すことができるようにしてあり、縁取部４の後頭部になる位置と両耳部分に当たる位置に第１の係着体５ａ、５ｂ、５ｃ（図示せず）が縫い付けられている。裏地３をポケット状に折り返すことができるようにしてあることから、ポケット状に入れ込むことでつけ毛がこすれてからまるのを防ぐ効果も得られる。
本実施例では、表地２、裏地３および表地２と裏地３とをつなげる縁取部４は、それぞれ１枚布で形成されている。したがって、表地２と裏地３は、帽子部１の縁取部４によって一面体で作製することができる。これによって帽子部１のすべての縫い代が表地２と裏地３との間である内面に隠され、凹凸のない帽子部１が得られる。これによりかぶり心地がよい。
【００１１】
本実施例のつけ毛部１０の詳細構造について、図３を用いて説明する。つけ毛部１０は、後頭部になる位置の付け毛取付部材１１ａと両側の耳部分に当たる付け毛取付部材１１ｂ、１１ｃが、ゴム弾性部材１４、１５により一体化されている。そして、つけ毛取付部材１１ａ、１１ｂ、１１ｃには、それぞれ第２の係着体１２ａ、１２ｂ、１２ｃが縫い付けられている。そして、第２の係着体１２ａ、１２ｂ、１２ｃが縫い付けられている面とは反対側の面に、それぞれつけ毛１３ａ、１３ｂ、１３ｃが植毛されている。つけ毛取付部材１１ａは後頭部の髪に似合うような付け毛１３ａが植毛されているので、やや長めで、かつ比較的多い。一方、つけ毛取付部材１１ｂ、１１ｃはもみあげ部分に相当するので、比較的短く、かつ少なめに設けられている。
つけ毛取付部材１１ａとつけ毛取付部材１１ｂ、１１ｃとを一体化するためのゴム弾性部材１４、１５は、本実施例では平板状のゴムシートを用いている。ゴムシートは、その伸縮性によって帽子部１と頭部をあわせる役目をしているが、ゴムシートの長さは人の耳部分に当たる領域のみであるので、あまり強く締め付ける力はなく頭部に圧迫感を与えることが少ない。また、ゴムシートの領域についてはつけ毛は設けていないが、このようにつけ毛を３箇所の領域に分けることで、人間の頭皮の生え方に近い毛の流れを表現でき、違和感のない状態が得られる。なお、本実施例では、ゴム弾性部材１４、１５として平板状のゴムシートを用いたが、弾性力を有する樹脂をシート状にして用いてもよい。
次に、図２および図３を用いてつけ毛部１０を帽子部１に取り付ける方法を説明する。つけ毛取付部１１ａ、１１ｂ、１１ｃの第２の係着体１２ａ、１２ｂ、１２ｃと、帽子部１の第１の係着体５ａ、５ｂ、５ｃ（図示せず）とを合わせて押し付ければ、それぞれが係着固定される。なお、係着体とは、例えば面ファスナーや複数のスナップボタンを取り付けて面状で両者を固定する構造をいう。このようにしてつけ毛部１０を帽子部１に取り付けた後、裏地３がよれないようにしながら、スナップボタン６ａ、６ｂにより固定する。なお、スナップボタンは、図２に示す位置のスナップボタン６ａ、６ｂとほぼ対称の位置にも設けられているが、裏地３が折り曲げられていないので図示されていない。
【００１２】
以上のように３箇所に分離したつけ毛１３ａ、１３ｂ、１３ｃを有するつけ毛部１０とする構成とすることにより「もみあげ」ができ、より自然なヘアスタイルに見えるようにできる。また、つけ毛部１０は、ゴム弾性部材４、５により伸縮が可能であり、種々の帽子にも対応でき、かつ男女を問わず大人から子どもまでフリーサイズで制作することが可能である。
図４は、本実施例のつけ毛付き帽子２０を用いて着用者２５にかぶせた場合の状態を示す図で、（ａ）は帽子部１のみの着用状態、（ｂ）はつけ毛付き帽子２０を着用した状態である。図４から分かるように、つけ毛１０があることで自然な状態とすることができ、他人に違和感を与えることがない。
図５は、本実施例のつけ毛部１０に比べて、付け毛取付部材１１ｂ、１１ｃのつけ毛１３ｂ、１３ｃの毛の量と長さを増やした付け毛部１６を用いたつけ毛付き帽子２１を着用者２５が着用した場合である。なお、その他の構成は本実施例と同じである。脱毛する前に長い髪であった着用者２５に適する。図６は、本実施例のつけ毛部１０に比べて、付け毛取付部材１１ａ、１１ｂ、１１ｃのつけ毛１３ａ、１３ｂ、１３ｃの毛の量と長さを増やした付け毛部１７を用いたつけ毛付き帽子２２を着用者２５が着用した場合である。なお、その他の構成は本実施例と同じである。脱毛する前に相当長い髪であった着用者２５に適する。このように、本発明のつけ毛付き帽子においては、つけ毛部のつけ毛の長さや量を適当に変えたものを使うことで、雰囲気に合わせた髪形を得ることができる。このように色々なつけ毛部を取り付け、取り外しできることから、脱毛の程度にあわせて毛量を調節できるし、洗濯も容易になる。さらに、つけ毛が必要ないときは外したり、髪型を変えたい時につけ毛部だけを交換できるし、手入れがしやすいという効果が得られる。
【符号の説明】
【００１３】
１  帽子部
２  表地
３  裏地
４  縁取部材
５ａ、５ｂ、５ｃ  第１の係着体
６ａ、６ｂ  固定部材
１０、１６、１７  つけ毛部
１１ａ、１１ｂ、１１ｃ  つけ毛取付部材
１２ａ、１２ｂ、１２ｃ  第２の係着体
１３ａ、１３ｂ、１３ｃ  つけ毛
１４、１５  ゴム弾性部材
２０、２１、２２  つけ毛付き帽子
２５  着用者
【図１】
0006014921.tif 000002
【図２】
0006014921.tif 000003
【図３】
0006014921.tif 000004
【図４】
0006014921.tif 000005
【図５】
0006014921.tif 000006
【図６】
0006014921.tif 000007